(57)【要約】【課題】証明書発行時に顔画像をコード化して証明書に記録し、コード化顔画像情報に、個人情報や、入場を許可されたエリアなどの情報を透かしとして埋め込んだ証明書とその真贋判定方法を提供する。【解決手段】前記課題の目的を達成するために、顔画像が形成された証明書であって、少なくとも顔画像表示エリアと、前記顔画像をコード化したコード化顔画像情報表示エリアと、透かし情報表示エリアを有する証明書、および、この証明書を証明書読取装置によって読取らせるステップと、証明書の顔画像をコード化するステップと、前記コード化顔画像情報を証明書に表示されたコード化顔画像と照合するステップとを具備した証明書の真贋判定方法を提供する。【選択図】  図１
2006103012.tif 000002
【特許請求の範囲】
【請求項１】
顔画像が形成された証明書であって、少なくとも顔画像表示エリアと、前記顔画像をコード化したコード化顔画像情報表示エリアと、透かし情報表示エリアを有することを特徴とする証明書。
【請求項２】
請求項１に記載の証明書において、
コード化顔画像情報には透かし情報が埋め込まれたことを特徴とする証明書。
【請求項３】
請求項２に記載の証明書において、
透かし情報は、顔画像被写体の固有情報であることを特徴とする証明書。
【請求項４】
請求項２に記載の証明書において、
透かし情報は、入場を許可されたエリアコードであることを特徴とする証明書。
【請求項５】
請求項２に記載の証明書において、
透かし情報は、証明書に記載された証明書番号であることを特徴とする証明書。
【請求項６】
請求項１〜５何れかに記載された証明書を証明書読取装置で読み取って、証明書の真贋を判定する証明書の真贋判定方法であって、
証明書読取装置によって、証明書を読取らせるステップと、証明書の顔画像をコード化するステップと、前記コード化顔画像情報を証明書に表示されたコード化顔画像と照合するステップとを具備したことを特徴とする証明書の真贋判定方法。
【請求項７】
請求項１〜５何れかに記載された証明書を証明書読取装置で読み取って、証明書の真贋を判定する証明書の真贋判定方法であって、
証明書に表示されたコード化顔画像情報から顔画像を復元し、前記復元顔画像と証明書所持者の顔を目視で照合することを特徴とする証明書の真贋判定方法。
【請求項８】
請求項６に記載の証明書の真贋判定方法において、
証明書に表示されたコード化顔画像情報から透かし情報を抽出するステップと、抽出された透かし情報と証明書に表示された透かし情報とを照合するステップとを更に具備したことを特徴とする証明書の真贋判定方法。
【発明の詳細な説明】
【技術分野】
【０００１】
本発明は、証明書とその真贋判定方法に関し、詳しくは、展示会，博覧会，国際会議等のイベントにおいて、主催者から出展者や、参加者に発行される施設への入場許可証等の証明書とその真贋を判定する真贋判定方法に関する。
【背景技術】
【０００２】
展示会等では、主催者側は、出展関係者に対して施設への入場許可証または、出展者であることの証明書を発行する。近年では、許可証や、証明書には文字で表記した出展者情報の他に、顔写真等の個人情報を貼付するようにして安全性を高めている。
入場許可証や、証明書の発行に際しては、通常、主催者側から出展関係者に証明書発行申込書を配布し、個人情報の記載と写真の貼付を要求する。
出展者および関係者は、主催者側の要求にしたがって、出展関係者や参加者（以下、参加者と言う。）の顔写真を提示し、参加者の個人情報を添えて証明書の発行を依頼する。
【０００３】
そこで、提示された顔写真が改竄されていないか判定する技術が開示されている。
この技術は、顔画像の真贋を判定するために、提示された顔画像を入力し、入力された顔画像を証明用媒体に記録すると共に入力された顔画像からパターン変動を加味した辞書データを作成し、この辞書データを２次元コードに変換し、証明用媒体に記録する。一方で、証明用媒体から表面の画像情報を読取り、入力し、この入力された画像情報から顔画像を抽出し、顔画像の特徴量を抽出すると共に証明用媒体から２次元コードを読取り、もとの辞書データに復元し、復元した辞書データと前記抽出された特徴量を比較する技術が開示されている（例えば、特許文献１参照）。
しかし、前記特許文献１の真贋判定方法は、貼付された写真が本物かどうかの判定を行うが、それ以外の要素を関連付けて判定するものではない。
【０００４】
【特許文献１】特開２００３−１０８９３５号公報
【発明の開示】
【発明が解決しようとする課題】
【０００５】
そこで、本発明は、証明書発行時に顔画像をコード化して証明書に記録し、コード化顔画像情報に、個人情報や、入場を許可されたエリアなどの情報を透かしとして埋め込んだ証明書とその真贋判定方法を提供する。
【課題を解決するための手段】
【０００６】
前記課題の目的を達成するために、本発明の証明書の請求項１に記載の発明は、顔画像が形成された証明書であって、少なくとも顔画像表示エリアと、前記顔画像をコード化したコード化顔画像情報表示エリアと、透かし情報表示エリアを有することを特徴とするものである。
【０００７】
また、請求項２に記載の発明は、請求項１に記載の証明書において、コード化顔画像情報には透かし情報が埋め込まれたことを特徴とするものである。
【０００８】
また、請求項３に記載の発明は、請求項２に記載の証明書において、透かし情報は、顔画像被写体の固有情報であることを特徴とするものである。
【０００９】
また、請求項４に記載の発明は、請求項２に記載の証明書において、透かし情報は、入場を許可されたエリアコードであることを特徴とするものである。
【００１０】
また、請求項５に記載の発明は、請求項２に記載の証明書において、透かし情報は、証明書に記載された証明書番号であることを特徴とするものである。
【００１１】
また、請求項６に記載の発明は、請求項１〜５何れかに記載された証明書を証明書読取装置で読み取って、証明書の真贋を判定する証明書の真贋判定方法であって、証明書読取装置によって、証明書を読取らせるステップと、証明書の顔画像をコード化するステップと、前記コード化顔画像情報を証明書に表示されたコード化顔画像と照合するステップとを具備したことを特徴とするものである。
【００１２】
また、請求項７に記載の発明は、請求項１〜５何れかに記載された証明書を証明書読取装置で読み取って、証明書の真贋を判定する証明書の真贋判定方法であって、
証明書に表示されたコード化顔画像情報から顔画像を復元し、前記復元顔画像と証明書所持者の顔を目視で照合することを特徴とするものである。
ものである。
【００１３】
また、請求項８に記載の発明は、請求項６に記載の証明書の真贋判定方法において、
証明書に表示されたコード化顔画像情報から透かし情報を抽出するステップと、抽出された透かし情報と証明書に表示された透かし情報とを照合するステップとを更に具備したことを特徴とするものである。
【発明の効果】
【００１４】
１）本発明の証明書により、証明書の真贋判定を警備員の目に頼ることなく実現でき、確認制度が向上する。
２）証明書に顔画像を表示することなく、コード化顔画像情報と、例えば、証明書に表示された証明書番号を表示し、証明書番号をキーとして出展関係者ＤＢから顔画像を呼び出して復元画像と照合することも可能となり選択肢が広がる。
３）各エリアをネットワークに接続し、入場を許可されていない者を一時的に入場許可させることができ、逆に入場を許可されたものを一時的に入場禁止とすることによって、不正者を捕獲することができ、アクティブなセキュリティシステムに展開することが可能となる。
【発明を実施するための最良の形態】
【００１５】
以下、図面を参照して、本発明の証明書と証明書の真贋判定方法について説明する。
図１は、本発明の証明書の一例について説明するための図，図２は、証明書読取装置（以下、真贋判定装置という。）の機能の１例について説明するためのブロック図，図３は、証明書の発行手順について説明するための図，図４は、証明書作成装置により個人情報を透かし情報として利用した場合の証明書作成手順について説明するための図，図５は、証明書作成装置による入場を許可されたエリアコードを透かし情報として利用した場合の証明書作成手順について説明するための図，図６は、証明書作成装置による証明書番号を透かし情報として利用した場合の証明書作成手順について説明するための図，である。
【００１６】
図１を参照して、本発明の証明書の一例について説明する。
本発明の証明書１は、長方形をしており、首などに紐などで安定して吊り下げられるようになっている。
また、証明書を所持する者がどのような業種なのかを示す種類情報１１が、「ＰＲＥＳＳ」と表示されている。証明書の種類は、左端の帯の色でも識別できるようになっている。
証明書所持者の顔画像１３が、証明書１の右上にプリント表示されている。
また、証明書の右上には、証明書番号１２が「１２３４５６７」と７桁で表示されている。
証明書１の中央部分には、顔画像１３をコード化して表示したコード化顔画像情報１５がプリント表示されている。
コード化顔画像情報１５の下部には、目視でき、認識できる状態で個人情報１４が「Ｍａｉａｓａ  Ｓｈｉｎｂｕｎ  Ｎｉｐｐｏｎ  Ｔａｒｏ」とプリント表示されている。
個人情報１４の下部には、入場を許可されたエリアコード１６が「９８７」とプリント表示されている。
【００１７】
本実施の形態の場合は、コード化顔画像情報１５には透かし情報が埋め込まれている。
透かし情報は、証明書番号１２、個人情報１４，入場を許可されたエリアコード１６から選択できるようになっている。
コード化顔画像情報１５に埋め込まれた透かし情報は、顔画像（情報）１３に埋め込むこともできる。
【００１８】
証明書番号１２は、証明書に機械的に付与される、例えば連続番号でもよいし、発行装置からランダムに生成される番号でもよい。
機械的に付与される連続番号の場合は、同じ会社の関係者であれば続き番号になっている可能性が推測されてしまい、透かしが解読され易くなるために、セキュリティの面からは、ランダムに生成された番号の方が好ましい。
【００１９】
個人情報１４は、光学的に読取られて、コード化顔画像情報から抽出された個人情報と照合されるために、図のように社名，氏名等、名刺に記載されているようなオープン情報を使用する。
前述のように、コード化顔画像情報から抽出した透かし情報と、証明書に記載された透かし情報とを照合するのではなく、表記されていない透かし情報とを照合する真贋判定方式の場合は、透かし情報として家族の名前，出身地などを使用することができ、質問に回答する形式で照合することもできる。
【００２０】
入場を許可されたエリアコードは、証明書所持者が申請した、例えば、入場会場，展示会場のコードである。
入場を許可されたエリアコードを透かしコードとしてチェックに使用する場合は、エリアコードへの入場チェック手段として使用することもできる。
【００２１】
前述のように、証明書の表面に表示または、形成された情報は全て、コード化，復元化が可能である。そのために、前述のように、個人情報，入場を許可されたエリアコード，証明書番号等を透かしとして埋め込むことができ、自動チェックの手段として使用することができ、さらに、顔画像の目視チェックと一緒に証明書の真贋判定手段として利用することができる。
【００２２】
証明書にプリント，または貼付表示された顔画像は、コード化することによってコード化顔画像情報と機械的に照合して真贋判定されるが、一方で、コード化顔画像情報から抽出した顔画像を真贋判定装置の表示部に表示し、証明書所持者の顔と目視で照合することもできる。
【００２３】
図２を参照して、真贋判定装置の機能の１例について説明する。
真贋判定装置４は、証明書が真贋判定装置に翳されると、真贋判定装置に取り付けられた光走査部は証明書の表出面全面を一瞬で走査し、記録された情報を読み取り、復元，変換，所定のプログラムによる編集，照合，表示部へのデータの送信，表示等を行う。
【００２４】
図２に示す真贋判定装置４の機能について、図１を参照しながら説明する。
真贋判定装置４は、コード化顔画像情報読取機能４１によって、図1に示すコード化顔画像情報１５を読み取り、透かし情報抽出・分離機能４２によって、顔画像情報１３と、透かし情報（個人情報１４，入場を許可されたエリアコード１６，証明書番号の何れか）に分離する。
透かし情報抽出・分離機能４２によって分離された顔画像情報，透かし情報は、それぞれ一時記憶部（図示せず）に記憶される。
真贋判定装置4の顔画像情報読取機能４３，個人情報読取機能４４，入場を許可されたエリアコード読取機能４５，証明書番号読取機能４６によって読み取られた透かし情報と、前記一時記憶部に格納された顔画像情報，透かし情報は、照合機能４７によって照合され、表示機能４８によって真贋判定結果を表示部に表示する。
表示機能は、前記真贋判定結果の他に、それぞれの透かし情報や、コード化顔画像情報の復元による顔画像なども表示部に表示する。
【００２５】
図３を参照して、本発明の証明書の発行手順について説明する。
証明書を発行する証明書発行者（イベントなどの主催者）３０は、イベントを企画する（ステップ１：以下Ｓ１という。）。
出展または参加を申請する申請者２０は、主催者側に展示に必要な書類の送付を依頼する（Ｓ２）。
主催者側は、申請者の申請内容を審査する（Ｓ３）。出展者として適当であると判断された場合は、出展者に申込書類を送付する（Ｓ４）。
申請者は、参加申込書と、参加者の顔画像を貼付した証明書発行依頼書を主催者側に送付する（Ｓ５）。
主催者側は、参加申込書を受け付け、入場許可証などの証明書を作成する（Ｓ６）。
作成された証明書は、申請者に送付される（Ｓ７）。
申請者は送付された証明書を受領する（Ｓ８）。
【００２６】
図４を参照して、証明書の真贋判定の際に個人情報を透かし情報として利用する場合の証明書作成手順について説明する。
証明書発行装置の入出力手段３１は、申込書類に記載された申請者情報（企業，団体情報）をキーボードなどの入力手段によって入力する（Ｓ１１）。
次に、参加者の個人情報を同様の手段によって入力する（Ｓ１２）。
さらに、貼付されている顔画像情報をスキャナーなどの入力手段によって入力する（Ｓ１３）。
証明書番号は、証明書発行装置内で生成する。
証明書発行装置の編集手段３２は、入力手段によって入力された入力情報を編集する（Ｓ１４）。
証明書発行装置の入出力手段３１によって、編集した結果を証明書台紙に出力する。
証明書台紙に出力される内容は、図１で説明した、顔画像（情報），個人情報が透かしとして埋め込まれたコード化顔画像情報，目視可能状態の、個人情報，証明書番号，入場を許可されたエリアコード等である。
【００２７】
図５を参照して、証明書の真贋判定の際に入場を許可されたエリアコードを透かし情報として利用する場合の証明書作成手順について説明する。
Ｓ２１〜Ｓ２３までは、図４の説明と同様である。
証明書番号は、証明書発行装置内で生成する。
証明書発行装置の編集手段３２は、入力手段によって入力された入力情報を編集する（Ｓ２４）。
証明書発行装置の入出力手段３１によって、編集した結果を証明書台紙に出力する。
証明書台紙に出力される内容は、図１で説明した、顔画像（情報），入場を許可されたエリアコードが透かしとして埋め込まれたコード化顔画像情報と、目視可能状態の、個人情報，証明書番号，入場を許可されたエリアコード等である。
【００２８】
図６を参照して、証明書の真贋判定の際に証明書番号を透かし情報として利用する場合の証明書作成手順について説明する。
Ｓ３１〜Ｓ３３までは、図４の説明と同様である。
証明書番号は、証明書発行装置内で生成する。
証明書発行装置の編集手段３２は、入力手段によって入力された入力情報を編集する（Ｓ３４）。
証明書発行装置の入出力手段３１によって、編集した結果を証明書台紙に出力する。
証明書台紙に出力する内容は、図１で説明した、顔画像（情報），証明書番号が透かしとして埋め込まれたコード化顔画像情報と、目視可能状態の、個人情報，証明書番号，入場を許可されたエリアコード等である。
【００２９】
図４，図５，図６で説明した個人情報，入場を許可されたエリアコード，証明書番号を透かしとしてコード化顔画像情報に埋め込む場合は、個人情報，入場を許可されたエリアコード，証明書番号をそれぞれ文字列、または、コードとして一括してコード化顔画像情報のどこかに埋め込んでもよいし、分散して散りばめてもよい。
また、前述の文字列、または、コードは、コード化顔画像情報を暗号化するための暗号化キーとして使用されてもよい。
【産業上の利用可能性】
【００３０】
本発明の証明書とその真贋判定方法は、会場運営の安全性が要求されるイベント全般に利用できる。
【図面の簡単な説明】
【００３１】
【図１】本発明の証明書の一例について説明するための図である。
【図２】真贋判定装置の機能の１例について説明するためのブロック図である。
【図３】本発明の証明書の発行手順について説明するための図である。
【図４】証明書の真贋判定の際に個人情報を透かし情報として利用する場合の証明書作成手順について説明するための図である。
【図５】証明書の真贋判定の際に入場を許可されたエリアコードを透かし情報として利用する場合の証明書作成手順について説明するための図である。
【図６】証明書の真贋判定の際に証明書番号を透かし情報として利用する場合の証明書作成手順について説明するための図である。
【符号の説明】
【００３２】
１      証明書
４      真贋判定装置
１１    種類情報
１２    証明書番号
１３    顔画像
１４    個人情報
１５    コード化顔画像情報
１６    入場を許可されたエリアコード
２０    証明書申請者
３０    証明書発行者（主催者）
３１    証明書発行装置入出力手段
３２    証明書発行装置編集手段
４１    コード化顔画像情報読取り機能
４２    透かし情報抽出・分離機能
４３    顔画像情報読取機能
４４    個人情報読取機能
４５    入場を許可されたエリアコード読取機能
４６    証明書番号読取機能
４７    照合機能
４８    表示機能
【図１】
2006103012.tif 000003
【図２】
2006103012.tif 000004
【図３】
2006103012.tif 000005
【図４】
2006103012.tif 000006
【図５】
2006103012.tif 000007
【図６】
2006103012.tif 000008